(57)【要約】【課題】スケジューリングリクエスト（ＳＲ）プロシージャパラメータを適切に再設定するために、無線通信システムのＵＥ（ユーザー端末）に用いられるＳＲの再設定プロシージャを改善する方法及び通信装置を提供する。【解決手段】方法は、ＵＥのＳＲプロシージャパラメータの再設定を求める上位層プロトコルリクエストを受信する段階と、ＵＥによりＳＲがトリガーされ、かつＵＥの中でその他未完成のＳＲが存在しなかった場合に、上位層プロトコルリクエストによる新しい設定値をＳＲプロシージャパラメータに適用する段階とを含む。【選択図】図４
2010171952.tif 000002
【特許請求の範囲】
【請求項１】
無線通信システムのＵＥ（ユーザー端末）に用いられるスケジューリングリクエスト（ＳＲ）の再設定プロシージャを改善する方法であって、
前記ＵＥのＳＲプロシージャパラメータの再設定を求める上位層プロトコルリクエストを受信する段階と、
前記ＵＥによりＳＲがトリガーされ、かつ前記ＵＥの中でその他未完成のＳＲが存在しなかった場合に、前記上位層プロトコルリクエストによる新しい設定値を前記ＳＲプロシージャパラメータに適用する段階とを含む、ＳＲの再設定プロシージャを改善する方法。
【請求項２】
前記ＳＲプロシージャパラメータは、前記ＳＲプロシージャのＰＵＣＣＨ（物理アップリンク制御チャネル）リソースを示すパラメータｓｒ−ＰＵＣＣＨ−ＲｅｓｏｕｒｃｅＩｎｄｅｘである、請求項１に記載のＳＲの再設定プロシージャを改善する方法。
【請求項３】
前記ＳＲプロシージャパラメータは、前記ＳＲプロシージャの伝送周期を示すパラメータｓｒ−ＣｏｎｆｉｇＩｎｄｅｘである、請求項１に記載のＳＲの再設定プロシージャを改善する方法。
【請求項４】
前記ＳＲプロシージャパラメータは、前記ＳＲプロシージャのＳＲ最大伝送回数を示すパラメータｄｓｒ−ＴｒａｎｓＭａｘである、請求項１に記載のＳＲの再設定プロシージャを改善する方法。
【請求項５】
前記方法は更に、
前記ＵＥによりＳＲがトリガーされ、かつ前記ＵＥの中でその他未完成のＳＲが存在しなかった場合に、前記ＳＲプロシージャのカウンタを初期化する段階を含み、
前記カウンタは前記ＳＲプロシージャのＳＲ伝送回数を計算するために用いられる、請求項１から４の何れか１項に記載のＳＲの再設定プロシージャを改善する方法。
【請求項６】
前記上位層プロトコルはＲＲＣ（無線リソース制御）層である、請求項１から５の何れか１項に記載のＳＲの再設定プロシージャを改善する方法。
【請求項７】
無線通信システムのＵＥに用いられるＳＲの再設定プロシージャを改善するための通信装置であって、
プログラムを実行するＣＰＵ（中央処理装置）と、
前記ＣＰＵに結合され、前記プログラムを記憶する記憶装置とを含み、前記プログラムは、
前記ＵＥのＳＲプロシージャパラメータの再設定を求める上位層プロトコルリクエストを受信する段階と、
前記ＵＥによりＳＲがトリガーされ、かつ前記ＵＥの中でその他未完成のＳＲが存在しなかった場合に、前記上位層プロトコルリクエストによる新しい設定値を前記ＳＲプロシージャパラメータに適用する段階とを含む、通信装置。
【請求項８】
前記ＳＲプロシージャパラメータは、前記ＳＲプロシージャのＰＵＣＣＨリソースを示すパラメータｓｒ−ＰＵＣＣＨ−ＲｅｓｏｕｒｃｅＩｎｄｅｘである、請求項７に記載の通信装置。
【請求項９】
前記ＳＲプロシージャパラメータは、前記ＳＲプロシージャの伝送周期を示すパラメータｓｒ−ＣｏｎｆｉｇＩｎｄｅｘである、請求項７に記載の通信装置。
【請求項１０】
前記ＳＲプロシージャパラメータは、前記ＳＲプロシージャのＳＲ最大伝送回数を示すパラメータｄｓｒ−ＴｒａｎｓＭａｘである、請求項７に記載の通信装置。
【請求項１１】
前記プログラムは更に、
前記ＵＥによりＳＲがトリガーされ、かつ前記ＵＥの中でその他未完成のＳＲが存在しなかった場合に、前記ＳＲプロシージャのカウンタを初期化する段階を含み、
前記カウンタは前記ＳＲプロシージャのＳＲ伝送回数を計算するために用いられる、請求項７から１０の何れか１項に記載の通信装置。
【請求項１２】
前記上位層プロトコルはＲＲＣ層である、請求項７から１１の何れか１項に記載の通信装置。
【発明の詳細な説明】
【技術分野】
【０００１】
本発明はスケジューリングリクエスト（ＳＲ）の再設定（ｒｅｃｏｎｆｉｇｕｒａｔｉｏｎ）プロシージャを改善する方法及び通信装置に関し、特にＳＲプロシージャに用いられる関連パラメータを適切に再設定するために、無線通信システムのＵＥ（ユーザー端末）に用いられるＳＲの再設定プロシージャを改善する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に個別に設ける必要がなく、同一の通信ネットワークエンティティーに統合できるので、システム構造が比較的に簡単である。
【０００３】
ＬＴＥ無線通信システムでは、３ＧＰＰ  ＴＳ  ３６．３２１  Ｖ８．４．０仕様書によれば、ＵＥにアップリンク伝送すべきデータ（例えばレギュラーＢＳＲ（バッファ状態報告））があった場合、新規伝送に用いられるＵＬ−ＳＣＨ（アップリンク共用チャネル）リソースがなければ、アップリンク伝送を実行するために、ＵＥはＳＲプロシージャでネットワークに対してＵＬ−ＳＣＨリソースを割り当てるように求める。ＵＥにＳＲを伝送するためのＰＵＣＣＨ（物理アップリンク制御チャネル）リソースが割り当てられていれば、ＳＲはＰＵＣＣＨにより伝送される。さもなければ、ＵＥにＳＲを伝送するためのＰＵＣＣＨリソースがなかった場合、或いは割り当てられたＳＲを伝送するためのＰＵＣＣＨリソースが無効になった場合では、ランダムアクセスプロシージャでネットワークに対してＵＬ−ＳＣＨリソースを割り当てるように求めなければならない。
【０００４】
現行の仕様によれば、ＵＥがトリガーしたＳＲは、取り消される前にすべて未完成（ｐｅｎｄｉｎｇ）とみなされる。また、ＵＥによりＳＲがトリガーされ、かつＵＥの中でその他未完成のＳＲが存在しなかった場合では、ＳＲプロシージャにおいてＳＲ伝送回数を計算するためのカウンタＳＲ＿ＣＯＵＮＴＥＲを０とし、すなわちカウンタＳＲ＿ＣＯＵＮＴＥＲを初期化する。
【０００５】
未完成のＳＲについて、ＳＲを伝送するためのＰＵＣＣＨリソースが割り当てられていれば、ＵＥはネットワークから新規伝送のために割り当てられたＵＬ−ＳＣＨリソースを受信するか、またはＳＲ伝送回数が所定のパラメータｄｓｒ−ＴｒａｎｓＭａｘになるまで、ＰＵＣＣＨでＳＲを周期的に伝送する。カウンタＳＲ＿ＣＯＵＮＴＥＲの値はＳＲを伝送するたびに１足される。ＳＲ伝送回数がパラメータｄｓｒ−ＴｒａｎｓＭａｘになれば、ＵＥのアップリンク伝送に問題が生じたと判断できる。例えば、ＳＲの伝送に用いられるＰＵＣＣＨリソースが無効になった（無線信号の品質不良か不当の電力設定により無効になりうる）か、アップリンクタイミングが同期性を失ったことにより、ＵＥからＰＵＣＣＨを介して伝送されたＳＲがネットワークにより正常に受信・復号できないという問題が生じたと判断する。この場合、ＵＥは未完成のＳＲをすべて取り消し、アップリンクリソース（例えば割り当てられたすべてのＰＵＣＣＨリソース、及びアップリンクＳＲＳ（サウンディング基準信号）を伝送するためのＳＲＳリソース）を解放し、ランダムアクセスプロシージャを起動しなければならない。また、ＵＥは新規伝送のために割り当てられたＵＬ−ＳＣＨリソースを受信した場合でも、未完成のＳＲをすべて取り消す。
【０００６】
一方、ＲＲＣ（無線リソース制御）層などの上位層プロトコルは、ｄｓｒ−ＴｒａｎｓＭａｘ、ｓｒ−ＰＵＣＣＨ−ＲｅｓｏｕｒｃｅＩｎｄｅｘ、ｓｒ−ＣｏｎｆｉｇｕｒａｔｉｏｎＩｎｄｅｘなどのＳＲプロシージャパラメータを再設定するために、ＵＥに対してＳＲの再設定プロシージャを実行するように求める。現行の仕様によれば、上位層プロトコルが再設定を求めた場合、ＵＥは直ちに上位層プロトコルからの新しい設定値をＭＡＣ（媒体アクセス制御）パラメータに適用しなければならない。
【０００７】
しかし、ＳＲプロシージャパラメータなど一部のＭＡＣパラメータについて、新しい設定値を直ちに適用すれば、ＵＥにエラーが生じうる。例えば、ＵＥに未完成のＳＲがあり、かつ上位層プロトコルがＭＡＣパラメータの再設定を求めた場合、上位層プロトコルからの新しい設定値をＳＲプロシージャパラメータｄｓｒ−ＴｒａｎｓＭａｘに直ちに適用すれば、カウンタＳＲ＿ＣＯＵＮＴＥＲの値はパラメータｄｓｒ−ＴｒａｎｓＭａｘを超え、それによりＵＥはアップリンクリソースを不必要に解放してランダムアクセスプロシージャを実行する。したがって、従来のＳＲの再設定プロシージャには改善の余地がある。
【発明の概要】
【発明が解決しようとする課題】
【０００８】
本発明はＳＲプロシージャパラメータを適切に再設定するために、無線通信システムのＵＥに用いられるＳＲの再設定プロシージャを改善する方法及び通信装置を提供する。
【課題を解決するための手段】
【０００９】
本発明では、無線通信システムのＵＥ（ユーザー端末）に用いられるスケジューリングリクエスト（ＳＲ）の再設定プロシージャを改善する方法を開示する。同方法は、ＵＥのＳＲプロシージャパラメータの再設定を求める上位層プロトコルリクエストを受信する段階と、ＵＥによりＳＲがトリガーされ、かつＵＥの中でその他未完成のＳＲが存在しなかった場合に、上位層プロトコルリクエストによる新しい設定値をＳＲプロシージャパラメータに適用する段階とを含む。
【００１０】
本発明では更に、無線通信システムのＵＥに用いられるＳＲの再設定プロシージャを改善するための通信装置を開示する。通信装置は、プログラムを実行するＣＰＵ（中央処理装置）と、ＣＰＵに結合され、プログラムを記憶する記憶装置とを含む。プログラムは、ＵＥのＳＲプロシージャパラメータの再設定を求める上位層プロトコルリクエストを受信する段階と、ＵＥによりＳＲがトリガーされ、かつＵＥの中でその他未完成のＳＲが存在しなかった場合に、上位層プロトコルリクエストによる新しい設定値をＳＲプロシージャパラメータに適用する段階とを含む。
【図面の簡単な説明】
【００１１】
【図１】無線通信システムを表す説明図である。
【図２】無線通信装置のブロック図である。
【図３】図２に示すプログラムを表す説明図である。
【図４】本発明の実施例による方法のフローチャートである。
【発明を実施するための形態】
【００１２】
図１を参照する。図１は無線通信システム１０を表す説明図である。無線通信システム１０は望ましくはＬＴＥシステムであって、概してネットワークと複数のＵＥからなる。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１３】
図２を参照する。図２は無線通信装置１００のブロック図である。無線通信装置１００は図１に示すＵＥを実施する。説明を簡素化するため、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００において、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１４】
図３を参照する。図３は図２に示すプログラム１１２を表す説明図である。プログラム１１２はアプリケーション層２００と、第三層インターフェイス２０２と、第二層インターフェイス２０６を備え、第一層インターフェイス２１８と接続されている。第三層インターフェイス２０２はＲＲＣ（無線リソース制御）層インターフェイスを含み、リソース制御を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００１５】
ＬＴＥ無線通信システムでは、ＵＥにアップリンク伝送すべきデータ（例えばレギュラーＢＳＲ）があった場合、新規伝送に用いられるＵＬ−ＳＣＨリソースがなければ、アップリンク伝送を実行するために、ＵＥはＳＲプロシージャでネットワークに対してＵＬ−ＳＣＨリソースを割り当てるように求める。また、ＲＲＣ層などの上位層プロトコルは、ＳＲプロシージャのパラメータを再設定するために、ＵＥに対してＳＲの再設定プロシージャを実行するように求める。それに鑑みて、本発明の実施例では、ＳＲプロシージャパラメータを改善し、ＵＥがアップリンクリソースを解放してランダムアクセスプロシージャを実行するなどの誤動作を防止するために、ＳＲ再設定プログラム２２０を提供する。
【００１６】
図４を参照する。図４は本発明の実施例による方法４０のフローチャートである。下記方法４０は、無線通信システムのＵＥにおいてＳＲの再設定プロシージャの改善に用いられ、ＳＲ再設定プログラム２２０としてコンパイルすることができる。方法４０は以下のステップを含む。
【００１７】
ステップ４００：開始。
ステップ４０２：上位層プロトコルリクエストを受信する。当該上位層プロトコルリクエストはＵＥのＳＲプロシージャパラメータの再設定を求める。
ステップ４０４：ＵＥによりＳＲがトリガーされ、かつＵＥの中でその他未完成のＳＲが存在しなかった場合に、上位層プロトコルリクエストによる新しい設定値をＳＲプロシージャパラメータに適用する。
ステップ４０６：終了。
【００１８】
以上の方法４０によれば、ＵＥはまず、ＵＥのＳＲプロシージャパラメータの再設定を求める上位層プロトコルリクエストを受信する。次に、ＵＥによりＳＲがトリガーされ、かつＵＥの中でその他未完成のＳＲが存在しなかった場合、ＵＥは上位層プロトコルリクエストによる新しい設定値をＳＲプロシージャパラメータに適用する。
【００１９】
言い換えれば、上位層プロトコルがＳＲプロシージャパラメータの再設定を求めるとき、ＵＥはパラメータを直ちに再設定するのでなく、ＳＲがトリガーされ、かつＵＥの中でその他未完成のＳＲが存在しなかった場合にＳＲプロシージャに用いるパラメータに再設定する。したがって、本発明の実施例は、未完成のＳＲがあったとき、ＳＲの再設定によりＳＲプロシージャの関連パラメータが突然に変更し、ＵＥがアップリンクリソースを不必要に解放してランダムアクセスプロシージャを実行するのを防止することができる。
【００２０】
注意すべきは、現行の仕様によれば、ＵＥによりＳＲがトリガーされ、かつＵＥの中でその他未完成のＳＲが存在しなかった場合では、ＵＥはＳＲプロシージャにおいてＳＲ伝送回数を計算するためのカウンタＳＲ＿ＣＯＵＮＴＥＲを０とし、すなわちカウンタＳＲ＿ＣＯＵＮＴＥＲを初期化する。言い換えれば、上位層プロトコルがＳＲプロシージャパラメータの再設定を求めるとき、本発明の実施例によるＵＥはカウンタＳＲ＿ＣＯＵＮＴＥＲが初期化された場合に、上位層プロトコルリクエストによる新しい設定値をＳＲプロシージャの関連パラメータに適用する。
【００２１】
望ましくは、前記ＳＲプロシージャパラメータはパラメータｄｓｒ−ＴｒａｎｓＭａｘ、パラメータｓｒ−ＰＵＣＣＨ−ＲｅｓｏｕｒｃｅＩｎｄｅｘ、またはパラメータｓｒ−ＣｏｎｆｉｇＩｎｄｅｘなどＳＲプロシージャの関連パラメータである。パラメータｄｓｒ−ＴｒａｎｓＭａｘはＳＲプロシージャの最大伝送回数を示し、パラメータｓｒ−ＰＵＣＣＨ−ＲｅｓｏｕｒｃｅＩｎｄｅｘはＳＲプロシージャのＰＵＣＣＨリソースを示し、パラメータｓｒ−ＣｏｎｆｉｇＩｎｄｅｘはＳＲプロシージャの伝送周期を示す。
【００２２】
例えば、ＵＥに未完成のＳＲがあった場合、上位層プロトコルがＳＲプロシージャパラメータの再設定を求めれば、本発明の実施例によるＵＥは、カウンタＳＲ＿ＣＯＵＮＴＥＲが初期化された場合にしかパラメータｄｓｒ−ＴｒａｎｓＭａｘを再設定することができない。したがって、本発明の実施例は、ＳＲプロシージャパラメータの再設定によりカウンタＳＲ＿ＣＯＵＮＴＥＲがパラメータｄｓｒ−ＴｒａｎｓＭａｘを超え、ＵＥがアップリンクリソースを不必要に解放してランダムアクセスプロシージャを実行するのを防止できる。
【００２３】
まとめて言えば、本発明の実施例では、ＳＲプロシージャの関連パラメータを適切に再設定し、ＵＥがアップリンクリソースを不必要に解放してランダムアクセスプロシージャを実行するのを防止するために、無線通信システムのＵＥに用いられるＳＲの再設定プロシージャを改善する方法を提供する。
【００２４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２５】
１０  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  ＳＲ再設定プログラム
【図１】
2010171952.tif 000003
【図２】
2010171952.tif 000004
【図３】
2010171952.tif 000005
【図４】
2010171952.tif 000006